(57)【要約】【課題】 内密的安全性を提供できるようにした新たなバーチャル・スペースを有する内密化情報隠し方法を提供する。【解決手段】嵌め込み式情報記憶装置を情報処理装置に取り付けるステップ１と、前記情報処理装置に少なくとも一つのバーチャル・データベースを作るステップ２と、ユーザー端より前記バーチャル・データベースに対し設定をするステップ３と、前記バーチャル・データベースにファイルを記憶するステップ４と、前記嵌め込み式情報記憶装置が依然として前記情報処理装置に取り付けているかどうかを判定検出するステップ５と、前記ファイルを隠し、且つそれが前記情報処理装置における特定の経路を表示するステップ６を有するように設定した。【選択図】  図１
2004310727.tif 000002
【特許請求の範囲】
【請求項１】
嵌め込み式情報記憶装置に応用され、内密化処理によってファイルを保護すると共に、前記嵌め込み式情報記憶装置と情報記憶装置における情報を隠し、当該方法には下記のようなステップを有する；
前記嵌め込み式情報記憶装置を情報処理装置に取り付けるステップ１と、
前記情報処理装置に少なくとも一つのバーチャル・データベースを作るステップ２と、
ユーザー端より前記バーチャル・データベースに対し設定をするステップ３と、
前記バーチャル・データベースにファイルを記憶するステップ４と、
前記嵌め込み式情報記憶装置が依然として前記情報処理装置に取り付けているかどうかを検出するステップ５と、
前記ファイルを隠し、且つそれが前記情報処理装置における特定の経路を表示するステップ６を有することを特徴とする、
バーチャル・スペースを有する内密化情報隠し方法。
【請求項２】
前記嵌め込み式情報記憶装置が連接インターフェースを介して前記情報処理装置と接続されていることを特徴とする請求項１に記載のバーチャル・スペースを有する内密化情報隠し方法。
【請求項３】
前記連接インターフェースが高密度トランスミット連接インターフェース(ＩＥＥＥ１３９４)であることを特徴とする請求項２に記載のバーチャル・スペースを有する内密化情報隠し方法。
【請求項４】
前記連接インターフェースがＵＳＢインターフェースであることを特徴とする請求項２に記載のバーチャル・スペースを有する内密化情報隠し方法。
【請求項５】
前記情報処理装置として、デスクトップ・タイプ・コンピュータや、ポータプル・タイプ・コンピュ一タや、パーソナル・デジタル・アシスタントや、携帯電話や、手のひらタイプ情報処理装置などからなるグループより選択されるものを使用することを特徴とする請求項１に記載のバーチャル・スペースを有する内密化情報隠し方法。
【請求項６】
前記情報処理装置に少なくとも一つのバーチャル・データベースを作るステップ２において、さらに下記のようなステップを有する；
前記情報処理装置の提供する記憶スペースによって、あるエリアをカットするステップ２１と、
前記エリアにバーチャル・データベースのある目標経路を作るステップ２２とを有することを特徴とする請求項１に記載のバーチャル・スペースを有する内密化情報隠し方法。
【請求項７】
前記記億スペースとしてハード・ディスクを使用し、且つ前記エリアとしてロジック記憶エリアのブロックを使用することを特徴とする請求項６に記載のバーチャル・スペースを有する内密化情報隠し方法。
【請求項８】
前記情報処理装置にバーチャル・データベースを作るステップにおける前記情報処理装置が嵌め込み式情報記憶装置によって取り替えられるようにしたことを特徴とする請求項１に記載のバーチャル・スペースを有する内密化情報隠し方法。
【請求項９】
前記情報処理装置に少なくとも一つのバーチャル・データベースを作るステップ２において、さらに下記のようなステップを有する；
前記情報処理装置の提供する記憶スペースによって、あるエリアをカットするステップ２１と、
前記エリアにバーチャル・データベースのある目標経路を作るステップ２２とを有することを特徴とする請求項８に記載のバーチャル・スペースを有する内密化情報隠し方法。
【請求項１０】
前記ユーザー端より前記バーチャル・データベースに対し設定をするステップ３において次のようなモードを設定することを含み、これらの各モードは、ローディング／使用中止モードと、スペース管理モードと、パスワード・モードと、バックアップ／還元モードとを含むことを特徴とする請求項１に記載のバーチャル・スペースを有する内密化情報隠し方法。
【請求項１１】
前記ローディング／使用中止モードとは、ユーザー端より特定のバーチャル・データベースをイネーブルまたはディスアブルすることをいうものでことを特徴とする請求項１０に記載のバーチャル・スペースを有する内密化情報隠し方法。
【請求項１２】
前記スペース管理モードとは、ユーザーがバーチャル・データベースの容量の大きさを変更することができるモードのことをいうものであることを特徴とする請求項１０に記載のバーチャル・スペースを有する内密化情報隠し方法。
【請求項１３】
前記パスワード・モードとは、ユーザーが前記嵌め込み式情報記憶装置を遺失する場合にコントロール及び管理に供する援助パスワードを提供し、且つ特定援助回数に制限を加え、且つ前記バーチャル・べ一スを読み取るだけの機能を提供することを特徴とする請求項１０に記載のバーチャル・スペースを有する内密化情報隠し方法。
【請求項１４】
前記バックアップ／還元モードとは、ユーザー端の要する情報を前記バーチャル・データベースより前記情報処理装置にバックアップすることと、前記情報処理装置より前記情報を前記バーチャル・データベースに還元することを言うものであることを特徴とする請求項１０に記載のバーチャル・スベースを有する内密化情報隠し方法。
【請求項１５】
前記バーチャル・データベースにファイルを記憶するステップ４は、さらに下記のようなステップを有する；
前記ファイルを内密化手段によってその情報を内密化するステップ４１と、
前記バーチャル・データベースを介して前記特定の経路を複製するステップ４２と、
前記特定の経路を前記記憶スペースに搬送するステップ４３とを有することを特徴とする請求項１に記載のバーチャル・スベースを有する内密化情報隠し方法。
【請求項１６】
前記ファイルを隠し、且つそれが前記情報処理装置における特定の経路を表示するステップ６とは、前記記憶スペースに記憶される特定の経路を削除することを言うものであることを特徴とする請求項１に記載のバーチャル・スペースを有する内密化情報隠し方法。
【請求項１７】
前記特定の経路とは、前記ファイルが前記情報処理装置に記憶されるいずれかの情報と歴史過程のことを言うものであることを特徴とする請求項１に記載のバーチャル・スペースを有する内密化情報隠し方法。
【請求項１８】
前記ファイルとは特定の事項を処理するためのアプリケーション・プログラムのことを言うものであることを特徴とする請求項１に記載のバーチャル・スペースを有する内密化情報隠し方法。
【請求項１９】
前記嵌め込み式情報記憶装置とは、移動式記憶器や集積電気回路カードやスマート・カードなどからなるグループより選択されるものであることを特徴とする請求項１に記載のバーチャル・スペースを有する内密化情報隠し方法。
【発明の詳細な説明】
【技術分野】
【０００１】
本発明は、嵌め込み式情報記憶装置に係わり、特に嵌め込み式情報記憶装置に応用されると共に、バーチャル・スペースを有する内密化情報隠し方法に関するものである。
【背景技術】
【０００２】
科学技術が日進月歩である現在では、情報処理装置がすでにそれぞれの分野に広範的に応用されており、科学技術が次々へと進歩発展することにしたがって、情報処理装置の機能もますます多元化されるようになっている。
【０００３】
しかしながら、情報量が爆発する今の時代では、情報処理装置をそれぞれ異なる機能を備えるようにしてユーザーの情報管理に提供できるように努力していると共に、充分なスペースを作って膨大な情報を記憶する必要もある。
【発明の開示】
【発明が解決しようとする課題】
【０００４】
前記の説明から判るように、携帯通信の時代を迎えるために、ポータブル・タイプの情報記憶装置が情報処理装置の欠かせない設備手段となっている。ポータブル・タイプの情報記憶装置は便利な携帯可能性を有するが、その欠点は容量が小さすぎることにあり、大容量の情報を記憶できない。例えばフロッピディスクが、既にその容量が使用に耐えきれない状態にあり、ますますマーケットよりリタイヤするようになりつつある。
【０００５】
前記の欠点に鑑みて、従来技術では、マイクロ・ドライバーやフラッシュ・メモリ・カードなどを開発し、記憶の機能を満足させている。しかしながら情報保護の面では顕著な効果が見られない現状にある。下表１は、一般の従来のファイル内密化システムについて開示したもので、下表から判るように依然として多くの欠陥を有し、多くの個人の、または企業の大切な秘密資料やファイルなどはすべて内密化する必要がある。しかしながらいくら内密化しても、やはり一般のパスワード手段やソフトウェアなどの形態によって解読され、如何にして情報記憶装置に高度な内密化機能を付与するかにあっては、外部のハードウェアによってその機能を実現することが依然として解決しようとする課題になっている。
【０００６】
【表１】
2004310727.tif 000003
【０００７】
そのため、本発明はバーチャル・スペースを有する内密化情報隠し方法を提供し、その主要な目的は、ユーザーの秘密とする資料・書類・ファイルやアプリケーション・プログラムを情報処理装或るいは嵌め込み式情報記憶装置の提供するバーチャル・データベースに記憶し、検出や複製や搬送や削除などの方式によって使用される経路や情報や歴史過程を隠し、他人からの盗みと不法使用を防止することにある。他に、バーチャル・ハードディスク内密化技術（Ｏｎ ｔｈｅ  ｆｌｙ  Ｅｎｃｒｙｐｔｉｏｎ）によってすべての情報処理装置または嵌め込み式情報記憶装置に記憶する情報を内密化し、単に情報を要する瞬間のみにそのアピール文章を読むことができ、内密解除を実行する必要はなく、且つ情報が永遠に内密文章であり、且つそれぞれ異なる嵌め込み式情報記憶装置がそれぞれ異なるパスワードを有すると共に、いずれとの関連性も有することなく、本発明の内密解除装置が嵌め込み式情報記憶装置となり、嵌め込み式情報記憶装置をその所属する情報処理装置に取り付ける場合にのみ内密解除を許容する。即ち、嵌め込み式情報記憶装置が単にそれと対応する特定の情報処理装置に適用できる。
【発明の効果】
【０００８】
本発明に示す方法によると、ユーザーの情報を二重保護のモードによって保護し、例え嵌め込み式情報記憶装置を遺失しても、他人が他の情報処理装置において使用できなくなり、個人の情報を内密化する効果を達成できる。
【０００９】
本発明は少なくとも下記のようなステップを有し、つまり、嵌め込み式情報記憶装置を情報処理装置に取り付けると共に、その情報処理装置において少なくとも一つのバーチャル・データベースを設立し、それからユーザー端よりバーチャル・データベースを設定し、ファイルをバーチャル・データベースに記憶し、それから嵌め込み式情報記憶装置が依然として情報処理装置に取り付けられているかを検出し、最後にファイルを情報処理装置の特定の経路に隠すことができる。
【発明を実施するための最良の形態】
【００１０】
本発明の詳細的な内容と技術について、図面を参照しながら下記のように説明する。
【実施例】
【００１１】
本発明は、バーチャル・スペースを有する内密化情報隠し方法に係わり、図１に示すのは、本発明のバーチャル・スペースを有する内密化情報隠し方法を示す説明図であり、下記のように説明する。
【００１２】
本発明において、まず嵌め込み式情報記憶装置を情報処理装置３０に取り付け、それから起動し、また、情報処理装置３０と嵌め込み式情報記憶装置においてすべてバーチャル・データベース１０を提供でき、それによってファイルを内密化すると共に、ファイルを記億でき、ユーザーがファイル２０をバーチャル・データベース１０に記憶する場合に、バーチャル・データベース１０が所定の内密化技術によってファイル２０を内密化し、単に、読み取る過程中のみにユーザーがアピール文章を読み取ることができ、また、ファイルの経路と歴史過程を情報処理装置３０に記憶し戻す場合に、前記バーチャル・データベース１０がその特定状態をキャッチし、且つ記録し、嵌め込み式情報記憶装置を取り除くと、すべての情報を隠し、他人の不法使用を防止し、また、図面に示すように、複数個のバーチャル・データベース１０（バーチャル・ディスクと称する）を設立してそれぞれ異なる情報を記憶してもよく、また、それぞれ異なる設定モードによって管理してもよく、また、ファイル２０が所定の事項を処理するためのアプリケーション・プログラムであってもよい。
【００１３】
前記の嵌め込み式情報記憶装置が連接インターフエースを介して情報処理装置３０と接続され、前記連接インターフェースとして高密度トランスミット連接インターフェ一ス（ＩＥＥＥ１３９４）であってもよく、且つＵＳＢインターフェースであってもよく、また、情報処理装置３０としてデスクトップ・タイプ・コンピュータやポータプル・タイプ・コンピュータやパーソナル・デジタル・アシスタント（ＰＤＡ）や携帯電話や手のひら型情報装置などからなるグループより選択（選出）されるいずれか一つを採用することができる。
【００１４】
他に、嵌め込み式情報記憶装置として移動式記憶体や集積電気回路カード（ＩＣカード）やスマート・カードなどからなるグループより選択されるいずれか一種を採用できる。
【００１５】
続いて、図２ａについて説明する。図２ａは本発明のバーチャル・スペースを有する内密化情報隠し方法であり、下記のようなものである。
【００１６】
まず、嵌め込み式情報記憶装置を情報処理装置３０に取り付けること（ステップ１００）、取り付け終了後に、前記情報処理装置または嵌め込み式情報記憶装置に少なくとも一つのバーチャル・データベース１０を設立すること(ステップ１１０)、バーチャル・データベース１０を設立する手数が終了後に、ユーザー端より当該バーチャル・データベース１０を設定すること(ステップ１２０)、その設定は四種類のモードを有し、それらのモードについてこのフローの説明後に詳しく説明する。設定終了後にファイル２０を前記バーチャル・データベース１０に記憶すること(ステップ１３０)、それから前記嵌め込み式情報記憶装置が依然として前記情報処理装置３０内に存在するかどうかを判定検出すること(ステップ１４０)、もし、前記嵌め込み式情報記憶装置が依然として前記情報処理装置３０内に置いてある場合、情報処理装置３０がノーマルなオペレーションを続け、且つこのフローを終了すること(ステップ１５０)、もし、嵌め込み式情報記憶装置が前記情報処理装置３０内に取り付けられていない場合、そのファイルを隠し、前記情報処理装置３０における特定の経路に表示し、それからステップ１４０に戻り、続けて前記のフローを繰り返し、且つ本フローを終了する。
【００１７】
前記の四種類のモードは、ローディング／使用中止モードと、スペース管理モードと、パスワード・モードとバックアップ／還元モードに分けられる。それぞれ以下に説明する。
１．ローディング／使用中止モード:  ユーザー端より前記特定のバーチャル・データベースをイネーブルまたはディスアブル（ｄｉｓａｂｌｅ）すること、ユーザーが情報処理装置３０において数量制限がないようにバーチャル・データベース１０を作ることができるが、同時にローディングする数量には制限がある。また、バーチャル・データベース１０がローディングされる状態下のみで使用可能になる。
２．スペース管理モード：  ユーザー端より前記バーチャル・データベースの容量の大きさを変更することをいう。もし、バーチャル・データベース１０の容量が足りない場合、且つハードディスクには余ったスペースがあれば、このコマンドによってその容量を増大できる。
３．パスワード・モード：  前記ユーザー端が前記嵌め込み式情報記憶装置を遺失した場合に、援助パスワードを提供してコントロール管理に供することである。且つ所定の援助回数を制限し、且つ前記バーチャル・データベースを読み取るのみのモードに入る。もし、嵌め込み式情報記憶装置が身についていない場合で、且つバーチャル・データベース１０を使用する場合、援助パスワードの方式によってバーチャル・データベース１０をローディングできる。
また、あるリミットがあり、つまりバーチャル・データベース１０を新たに増加できない。
４．バックアップ／還元モード：  ユーザー端の要する情報を前記バーチャル・データベースより前記情報処理装置にバックアップすること、また、還元モードは前記情報処理装置より情報を前記バーチャル・データベースに還元すること。好ましい操作習慣ではよく情報をバックアップすることにあり、また必要がある場合に、バックアップ情報を還元して使用すること。“バックアップ”がバーチャル・データベース１０を、ｚｉｐファイルになるように圧縮でき、且つそれをユーザーの指定する目録に記憶できる。
【００１８】
また、“還元”が“バックアップ”の生成する、ｚｉｐファイルをバーチャル・データベース１０になるように還元してわれわれの指定する目録に記憶できる。ファイルネームはバックアップ前のファイルと同じである。
【００１９】
次に、本発明のステップＡとステップＢのバーチャル・データベース
１０を設立するための細部のフローを説明する。
ステップＡは、バーチャルーデータベース１０を前記情報処理装置３０に設立するステップ１１０のことを言う。また、ステップＢはバーチャル・データベース１０を前記嵌め込み式情報記憶装置に設立するステップ１１０のことをいう。両者のステップＡとＢが択一的選択されて使用される。ユーザーが自分でバーチャル・データベース１０の設立するエリアを図２ｂに示すように決められる。
【００２０】
ステップＡの後、情報処理装置３０の提供する記憶スペースによってエリアをカットし(ステップ１１２)、また、記憶スペースとしてハードディスクを使用でき、また、当該エリアがロジック記憶エリアのブロックからなり、カット終了後に、バーチャル・データベース１０のある目標経路を前記エリアに設立する(ステップ１１４)。この方法によってバーチャル・データベース１０の容量の大きさを変更できると共に、秘密資料を隠すことが実行できる。
【００２１】
また、ユーザーがステップＢを選択する場合、それから前記嵌め込み式情報記憶装置の提供する記憶スペースによって、あるエリアをカットし(ステップ１１６)、カット終了後に、前記バーチャル・データベース１０のある目標経路を前記エリアに設立し(ステップ１１４)、このような方法によってバーチャル・データベース１０の容量の大きさを変更できると共に、秘密資料を隠すことが実行できる。
【００２２】
ユーザーがステップＢを選択する場合、その後、前記嵌め込み式情報記憶装置の提供する記憶スペースによってエリアをカットし(ステップ１１６)、カット終了後に、前記バーチャル・データベース１０のある目標経路を前記エリアに設立し(ステップ１１８)、この方法によってバーチャル・データベース１０の容量の大きさを変更できると共に、秘密資料を隠すことが実行できる。
【００２３】
前記情報処理装置に少なくとも一つのバーチャル・データベースを設立するステップ１１０において、前記情報処理装置が前記嵌め込み式情報記憶装置によって取り替えられ得る。しかしながら、ステップＡとステップＢとを同時に実行することはできない。
【００２４】
次に、本発明におけるファイル２０をバーチャル・データベース１０に記憶するステップＣと、ファイル２０を隠す特定の経路の成立するステップＤのフローについて、その細部を以下に図２ｂを参照して説明する。
【００２５】
ステップＣの後、前記ファイル２０が内密化手段を介して情報を内密化する(ステップ１３２)。この内密化手段がバーチャル・ハードディスク内密化技術（Ｏｎ−ｔｈｅ―ｆｌｙ  Ｅｎｃｒｙｐｔｉｏｎ）であり、それからバーチャル・データベース１０を介して特定の経路を複製し(ステップ１３４)、複製終了後に、前記特走の経路を前記記憶スペースに搬送すること(ステップ１３６)。
【００２６】
ステップＤの後、前記記憶スペースに記憶される前記特定の経路を削除し(ステップ１６２)、また、前記特定経路とは前記ファイルのいずれの前記情報処理装置に保存される情報と歴史過程のことを言い、そのため、すべての情報と歴史過程を隠すことができるようになり、本発明の目的を達成できる。
【００２７】
前記に言及したバーチャル・ハードディスクの内密化技術は、情報をハードディスクよりプログラムに読み込む揚合に自動的に内密解除をする技術のことを言う。それに対して、プログラムが情報をハードディスクに記憶する前に、自動的に内密化をし、すべての内密及び内密解除の動作は全部明らかであり、ユーザーは暗記する必要はなく、それらのファイルがアピール文章または内密化文章であり、そのため、操作のことが従来の習慣と全く同じである。
さらに説明すると、プログラムが情報を求める瞬間のみにアピール文章を読み取ることができ、ハードディスクにおける情報は永遠に内密化文章であり、内密解除の必要な条件は嵌め込み式情報記憶装置を情報処理装置に取り付けることにある。
【００２８】
図３ａと図３ｂに示すのは、本発明のバーチャル・スペースを有する内密化情報隠し方法のユーザー・インターフェースを示す説明図であり、図において、ユーザーがバーチャル・データベース１０を設立するインターフェースとバーチャル・データベース１０を設定するインターフェースを示し、それから本発明の言及したそれぞれの機能によって操作を実行できる
【００２９】
次に、図４ａ,図４ｂ、図４ｃ、図４ｄを参照されたい。それらは本発明のバーチャル・スペースを有する内密化情報隠し方法の実施を示す説明図である。
本実施例を介して容易に本発明を了解できると信じており、特にステップ１６０において言及した特定の経路について、本実施例においてはこの特定の経路と言うことがマイクロソフトのウィンドウズ・システムの下で表示される必要な経路のことを言い、勿論、本発明だけに限定する必要はなく、異なるオペレーション・システムにおいては必ず他の異なる経路を隠す必要があり、それによって本発明の効果を達成し得る。
【００３０】
また、特定の経路を隠すため、もしユーザーが他のコンピュータにおいて同様な効果を有するようにするためには、改めて他の新たな嵌め込み式情報記憶装置を備えなければならなくなり、一つの嵌め込み式情報記憶装置を単に一台のコンピュータだけ合せてしか使用することできない。
【００３１】
まず、アプリケーション・プログラム（Ｄｒ．ｅｙｅ  ９８翻訳ソフト）を選択してあるバーチャル・データベースに取り付け、嵌め込み式情報記憶装置を取り除かない場合では、バーチャル・データベースにおけるソフトウェアが“プログラム集とデスクトップと取り付け／取り除きとツール・シリーズ”などの四つの位置に見られ、図４ａと図４ｂに示すように、嵌め込み式情報記憶装置を取り除くと、バーチャル・データベースが自動的に消え去る。バーチャル・データベースにおけるソフトウェアが“プログラム集とデスクトップと取り付け／取り除きとツール・シリーズ”などの四つの位置における資料がすべて消え去る。嵌め込み式情報記憶装置を挿入後にこれらの情報は還元され、他のいずれからの影響も受けなくなり、前述に説明したように、“プログラム集とデスクトップと取り付け／取り除きとツール・シリーズ”が前記に言及した特定の経路になり、それにはすべての歴史過程と情報を含み、すべて隠され、情報の安全的な隠蔽が向上できる。
【産業上の利用可能性】
【００３２】
本発明による場合、内密的安全性を向上できるバーチャル・スペースを有する内密化情報隠し方法を提供できる。
本発明について、前記のように優れる実施例を挙げて説明したが、これらの実施例は本発明を制限するものではなく、当該分野における技術者が本発明の要旨と内容を参照して些細な変更や修飾を実行することができ、そのため、本発明の主張範囲は、添付の特許請求の範囲の限定するものに準じるべきである。
【図面の簡単な説明】
【００３３】
【図１】本発明のバーチャル・スペースを有する内密化情報隠し方法を示す説明図である。
【図２ａ】本発明のバーチャル・スペースを有する内密化情報隠し方法を示すフローチャートである。
【図２ｂ】本発明のバーチャル・スペースを有する内密化情報隠し方法を示すフローチャートである。
【図２ｃ】本発明のバーチャル・スペースを有する内密化情報隠し方法を示すフローチャートである。
【図３ａ】本発明のバーチャル・スペースを有する内密化情報隠し方法を示すユーザーインターフェースの説明図である。
【図３ｂ】本発明のバーチャル・スペースを有する内密化情報隠し方法を示すユーザーインターフェースの説明図である。
【図４ａ】本発明のバーチャル・スペースを有する内密化情報隠し方法を示す実施例図である。
【図４ｂ】本発明のバーチャル・スペースを有する内密化情報隠し方法を示す実施例図である。
【図４ｃ】本発明のバーチャル・スペースを有する内密化情報隠し方法を示す実施例図である。
【図４ｄ】本発明のバーチャル・スペースを有する内密化情報隠し方法を示す実施例図である。
【符号の説明】
【００３４】
１０  バーチャル・データベース
２０  ファイル
３０  情報処理装置
【図１】
2004310727.tif 000004
【図２ａ】
2004310727.tif 000005
【図２ｂ】
2004310727.tif 000006
【図２ｃ】
2004310727.tif 000007
【図３ａ】
2004310727.tif 000008
【図３ｂ】
2004310727.tif 000009
【図４ａ】
2004310727.tif 000010
【図４ｂ】
2004310727.tif 000011
【図４ｃ】
2004310727.tif 000012
【図４ｄ】
2004310727.tif 000013